(57)【要約】【課題】  折畳状態でも被写体を確認しながら撮影することができ、しかも、使用者自身および使用者以外の被写体を大画面で確認しながら撮影を行うことが可能な構成の折畳式携帯機器を得ることにある。【解決手段】  操作キー３が実装された第１の筐体１と、片面にメイン表示部５を有し、その反対面にサブ表示部６を有して第１の筐体１の一側端部に折畳・展開方向へ回動可能に連結された第２の筐体２とを備え、前記メイン表示部５もしくはサブ表示部６に撮像を表示させるカメラ８を搭載した折畳式携帯機器において、前記第１の筐体１の表裏両面側に前記第２の筐体２を折畳可能にそれらの筐体１，２を回動可能に連結すると共に、前記カメラ８を、前記第１の筐体１の表面側および裏面側への第２の筐体２のいずれの折畳位置でも撮影可能に搭載したものである。【選択図】        図１
2005341047.tif 000002
【特許請求の範囲】
【請求項１】
操作キーが実装された第１の筐体と、片面にメイン表示部を有し、その反対面にサブ表示部を有して、前記第１の筐体の一側端部に回動可能に連結された第２筐体とを備え、前記メイン表示部もしくは前記サブ表示部に表示させる画像を撮像するカメラを搭載した折畳式携帯機器において、前記第１の筐体の表裏両面側に前記第２の筐体を折畳可能に連結すると共に、前記カメラを、前記第１の筐体の表面側および裏面側への前記第２の筐体のいずれの折畳位置でも撮影可能に搭載したことを特徴とする折畳式携帯機器。
【請求項２】
カメラは、この筐体メイン表示部と同一面側に搭載されていることを特徴とする請求項１記載の折畳式携帯機器。
【請求項３】
カメラは、第１、第２の筐体における一方の筐体に搭載され、他方の筐体には、両筐体の一方向面への折畳時に前記カメラの正面に対向して当該カメラによる撮影を可能にする窓穴が設けられていることを特徴とする請求項１または請求項２記載の折畳式携帯機器。
【請求項４】
第１の筐体と第２の筐体はヒンジ機構で連結され、このヒンジ機構は、第１の筐体の操作キー実装面と第２の筐体のメイン表示部とが向かい合う折畳方向と、第１の筐体の操作キー実装面の反対面と第２の筐体のサブ表示部とが向かい合う折畳方向とに屈曲回動自在なリンク機構からなっていることを特徴とする請求項１記載の折畳式携帯機器。
【請求項５】
ヒンジ機構は、第１，第２の筐体を所定の角度に保持する係合手段を備えていることを特徴とする請求項４記載の折畳式携帯機器。
【発明の詳細な説明】
【技術分野】
【０００１】
この発明は、使用者および使用者以外の被写体を視認しながら撮影することができるカメラ付きの折畳式携帯機器に関するものである。
【背景技術】
【０００２】
従来のカメラ付きの折畳式携帯機器において、操作キーを有する第１の筐体と、表示部を有する第２の筐体とをヒンジ部を介して折畳・展開方向へ回動可能に連結し、前記第１の筐体のヒンジ部に撮影用のカメラを組み付け、前記第１，第２の筐体の回動により、前記カメラが前記表示部の表示方向に対して同一方向と反対方向のいずれか一方に選択的に向けられるように構成したものは既に知られている（例えば、特許文献１）。すなわち、前記第１，第２の筐体を、それらの操作キー実装面と表示部とが向かい合う折畳状態から９０度回動させて開いたときに前記表示部の表示方向と前記カメラの撮影方向とが逆向きとなり、また、前記両筐体を折畳状態から２７０度回動させて開いたときに前記表示部の表示方向と前記カメラの撮影方向が同一方向となるように構成したものである。
【０００３】
このように構成された従来のカメラ付き折畳式携帯機器によれば、第１，第２の筐体を９０度の回動角度に開くことにより、表示部の表示方向とカメラの撮影方向が逆向きとなって、カメラで撮らえた使用者以外の被写体が前記表示部に表示されるので、その表示画像を確認しながら前記被写体を撮影でき、また、前記第１，第２の筐体を折畳状態から２７０度の回動角度に開けば、表示部の表示方向とカメラの撮影方向が同一方向に向くので、使用者自身をカメラで撮らえて表示部に表示させ、その表示画像を確認しながら使用者自身を撮影できるというものである。
【０００４】
【特許文献１】特開２００３−１０１６１９号公報（第３頁、図２）
【発明の開示】
【発明が解決しようとする課題】
【０００５】
従来のカメラ付きの折畳式携帯機器は以上のように構成されているので、第１，第２の筐体を開いた状態でしか被写体の画像を確認しながら撮影することができず、前記両筐体を折り畳んだ状態では被写体を表示部で確認しながら撮影することができないという課題があった。しかも、使用者自身を被写体として撮影する場合には前記両筐体を９０度の回動角度に開いた状態に保ち、使用者以外の被写体を撮影する場合には前記両筐体を２７０度の回動角度に開いた状態に保たなければ撮影できないという課題があった。
【０００６】
なお、他の従来例として、片面に操作キーが実装された第１の筐体と、片面に大画面のメイン表示部を有し、その反対面に小画面のサブ表示部を有する第２の筐体とを折畳・展開可能に連結して二つ折り構成としたカメラ付きの折畳式携帯機器もある。このように第２の筐体にメイン表示部とサブ表示部を設けた二つ折り構成の折畳式携帯機器において、第１，第２の筐体の折畳状態でサブ表示部を表出させ、そのサブ表示部に使用者自身の画像を表示可能とした構成のものもあるが、この場合、前記両筐体を操作キーの実装面と大画面のメイン表示部とが向かい合う方向にしか折り畳むことができず、このため、前記両筐体の折畳状態では大画面のメイン表示部に使用者自身および使用者以外の画像を表示させることができないという課題があった。
【０００７】
この発明は上記のような課題を解決するためになされたもので、折畳状態でも被写体を確認しながら撮影することができ、しかも、使用者自身および使用者以外の被写体を大画面で確認しながら撮影を行うことが可能な構成の折畳式携帯機器を得ることを目的とする。
【課題を解決するための手段】
【０００８】
この発明に係る折畳式携帯機器は、操作キーが実装された第１の筐体と、片面にメイン表示部を有し、その反対面にサブ表示部を有して、前記第１の筐体の一側端部に折畳・展開方向へ回動可能に連結された第２の筐体とを備え、前記メイン表示部もしくは前記サブ表示部に撮像を表示させるカメラを搭載した折畳式携帯機器において、前記第１の筐体の表裏両面側に前記第２の筐体を折畳可能にそれらの筐体を回動可能に連結すると共に、前記カメラを、前記第１の筐体の表面側および裏面側への前記第２の筐体のいずれの折畳位置でも撮影可能に搭載したものである。
【発明の効果】
【０００９】
この発明によれば、第１，第２の筐体を、第１の筐体の操作キー実装面と第２の筐体のメイン表示部とが向かい合う折畳状態と、第１の筐体における操作キー実装面の反対面と第２の筐体のサブ表示部とが向かう折畳状態とに折り畳むことができ、そのいずれの折畳状態でもカメラによる撮影が可能となるように構成したので、前記両筐体を折畳状態のまま、大画面の表示部に前記カメラによる撮像（被写体）を表示させ、その表示画像を確認しながら被写体を撮影することができるという効果がある。
【発明を実施するための最良の形態】
【００１０】
実施の形態１．
図１（Ａ）はこの発明の実施の形態１による折畳式携帯機器の折畳状態を示す概略的な外観斜視図、図１（Ｂ）は図１（Ａ）を反対側から見た斜視図、図２（Ａ）は図１（Ａ）の展開状態を示す概略的な斜視図、図２（Ｂ）は図２（Ａ）を反対側から見た斜視図、図３は図１の折畳式携帯機器の具体的な要部構造を示す展開斜視図、図４（Ａ）は図３の折畳式携帯機器を反対側に折り畳んだ状態を示す側面図、図４（Ｂ）は図４（Ｂ）の斜視図である。
図１および図２に示す折畳式携帯機器は、第１の筐体１と第２の筐体２を折畳状態から３６０度回動可能に連結した基本構成となっているもので、その詳細な具体的構成について以下に説明する。
【００１１】
第１の筐体１は片面に複数の操作キー３が実装された本体側筐体となるもので、第２の筐体２との被接続端部に凹状のヒンジ部（ヒンジ壁部）４を有している。第２の筐体２は、片面にメイン表示部５が設けられ、その反対面にサブ表示部６が設けられた液晶側筐体となるもので、第１の筐体１との被接続端部に凸状のヒンジ部（ヒンジ壁部）７を有している。このような第１，第２の筐体１，２は、両者のヒンジ部４，７の相互を凹凸嵌合させた状態で、前記両筐体１，２の折畳・展開方向へ回動自在に連結した構成となっている。その連結手段として、特徴的構造のヒンジ機構１１（図３および図４参照）を用いるが、このヒンジ機構１１の具体的構成については後述する。
【００１２】
前記第１，第２の筐体１，２において、第２の筐体２のヒンジ部４側には撮影用のカメラ８が搭載されている。このカメラ８は撮影方向が前記メイン表示部５の表示方向と同一方向を向くように組み付けられている。また、第１の筐体１のヒンジ部７には、第１の筐体１における操作キー３の実装面（以下、操作キー実装面３ともいう）と第２の筐体２のメイン表示部５とが向かい合う折畳位置で、前記カメラ８の正面に対向して当該カメラ８による撮影を可能とする窓穴９が設けられている。さらに、前記第１の筐体１の側面には、前記カメラ８のシャッターキー１０が取り付けられている。
【００１３】
次に、第１の筐体１と第２の筐体２とを両者の折畳・展開方向に回動可能に連結しているヒンジ機構１１の具体的構成を図３および図４に基づいて説明する。このヒンジ機構１１は、前記両筐体１，２のヒンジ部４，７に組み付けられて前記両筐体１，２の相互を伸縮屈曲回動可能に連結しているもので、図４に示すように、第１の筐体１のヒンジ部４側に組み付けられた第１のヒンジリンク１２と、第２の筐体２のヒンジ部７側に組み付けられた第２のヒンジリンク１３と、前記第１のヒンジリンク１２と第２のヒンジリンク１３とに跨ってそれらのヒンジリンク１２，１３に両端部が屈曲回動自在にピン連結された第３のヒンジリンク１４とからなっている。このようなリンク機構からなるヒンジ機構１１において、少なくとも第１のヒンジリンク１２は第１のヒンジ部４の内部に引き出し可能に収納されるようになっている。すなわち、第１，第２の筐体１，２をほぼ水平方向に開いた展開状態では、それらの筐体１，２のヒンジ部４，７側の端部間に隙間が生じないように、前記ヒンジ機構１１は前記両筐体１，２の少なくとも一方の内部に収納可能な取り付け構成となっている。また、前記ヒンジ機構１１の内部には、電源・ＧＮＤ・データ信号等の制御線１５（図４（Ｂ）参照）が挿通されている。この制御線１５は、第１の筐体１側の機構と第２の筐体２側の機構とを電気的に接続しているもので、これにより、カメラ８が撮らえた被写体の画像をメイン表示部５もしくはサブ表示部６に映し出すことができるようになっている。
【００１４】
次に動作について説明する。
図１に示すように、第１の筐体１のメイン表示部５と第２の筐体２の操作キー３実装面とが向かい合うように前記両筐体１，２を折り畳んだ状態では、図１（Ｂ）に示すように、第２の筐体２に組み付けられたカメラ８は、その正面に第１の筐体１の窓穴９が対向した状態に保持され、かつ、第２の筐体２のサブ表示部６が表出した状態となる。したがって、このような筐体１，２の折畳状態では、前記サブ表示部６を見ながら使用者以外の被写体をカメラ８で撮らえて前記サブ表示部６に表示させ、その表示画像を確認しながら前記被写体を撮影することができる。ここで、撮影したい被写体が決定したならば、シャッターキー１０を押すことにより、携帯機器もしくは携帯機器に搭載した外部メモリに保存することができる。
【００１５】
前記折畳状態の筐体１，２を、図２および図３に示すように、ほぼ水平方向に開いた展開状態では、メイン表示部５の表示方向とカメラ８の撮影方向が同一方向となっているため、そのカメラ８を使用者（自分）に向ければ、大画面の前記メイン表示部５に自分の画像が映し出されるので、その表示画像を確認しながら撮影したいポーズ等を決めて撮影することができる。また、このような展開状態の筐体１，２を相反する方向に引っ張ると、ヒンジ機構１１の各ヒンジリンク１２〜１４が前記筐体１，２の内部から引き出されるので、その引き出し後には、第１の筐体１における操作キー実装面３の反対面と第２の筐体２のサブ表示部６とが向かい合うように前記両筐体１，２を折り畳むことができる。その折畳状態においても、図４に示すように、第２の筐体２のメイン表示部５が表出し、このメイン表示部５の表示方向とカメラ８の撮影方向が同一方向を向いているので、そのカメラ８を自分に向ければ、大画面の前記メイン表示部５に自分の画像が映し出されることにより、その表示画像を確認しながら撮影したいポーズ等を決めて撮影することができる。
【００１６】
以上説明した実施の形態１によれば、片面に操作キー３が実装され、かつ側面にシャッターキー１０が取り付けられた第１の筐体１と、片面にメイン表示部５を有し、その反対面にサブ表示部６を有する第２の筐体２とを、第１の筐体１の操作キー実装面３と第２のメイン表示部５とが向かい合う第１の折畳位置、および第１の筐体における操作キー実装面３の反対面と第２の筐体２のサブ表示部６とが向かい合う第２の折畳位置へ３６０度回動可能に連結し、前記第２の筐体２のヒンジ部７にメイン表示部５の表示方向と同一方向を向くカメラ８を組み付けると共に、第１の筐体１のヒンジ部４側には、前記第１の折畳位置で前記カメラ８の正面に対向する窓穴９を設けるように構成したので、前記両筐体１，２を前記第１の折畳位置もしくは第２の折畳位置のいずれに折り畳んだ状態においても前記カメラ８で被写体を撮らえることができ、その被写体の画像が表出状態のメイン表示部５もしくはサブ表示部６に表示されるため、前記両筐体１，２の折畳状態でメイン表示部５もしくはサブ表示部６の表示画像を確認しながら被写体を撮影できるという効果がある。
【００１７】
特に、前記実施の形態１によれば、カメラが組み付けられた第２の筐体２が備えるメイン表示部５の表示方向と前記カメラ８の撮影方向が同一方向となっているので、第１，第２の両筐体１，２を、前記メイン表示部５が表出する第２の折畳位置に折り畳んだ状態では、そのメイン表示部５と共にカメラ８を使用者に向けることにより、大画面の前記メイン表示部５に映し出された使用者自らの画像を確認しながら使用者自身を撮影できるという効果がある。また、前記両筐体１，２を連結しているヒンジ機構１１を筐体内部から引き出して屈曲回動させることができるように構成したので、前記両筐体１，２を前記第１の折畳位置および第２の折畳位置のいずれにも容易に折り畳むことができるという効果がある。
【００１８】
実施の形態２．
図５（Ａ）はこの発明の実施の形態２による折畳式携帯機器の折畳状態を示す斜視図、図５（Ｂ）は図５（Ａ）の折畳式携帯機器を反対側から見た斜視図、図５（Ｃ）は図５（Ａ）の折畳式携帯機器を反対側に折り畳んだ状態を示す斜視図、図６（Ａ）は図５（Ａ）の展開状態を示す斜視図、図６（Ｂ）は図６（Ａ）を反対側から見た斜視図であり、図７（Ａ）は図５および図６中のヒンジ機構の要部を示す拡大断面図、図７（Ｂ）は図７（Ａ）中の摺動子を矢印Ｙ方向から見た図であり、図１〜図４と同一部分には同一符号を付して重複説明を省略する。
この実施の形態２では、第１の筐体１と第２の筐体２とを、所定の開閉角度に保持する構造のヒンジ機構１６によって回動可能に連結したものである。そのヒンジ機構１６は、第１，第２の筐体１，２相互を、第１の筐体１の操作キー実装面３と第２のメイン表示部５とが向かい合う第１の折畳位置および第１の筐体における操作キー実装面３の反対面と第２の筐体２のサブ表示部６とが向かい合う第２の折畳位置へ３６０度回動可能に連結しているヒンジリンク１７と、このヒンジリンク１７の内部に設けられた軸固定ヒンジ１８（図７参照）とを備えている。
【００１９】
図７において、前記軸固定ヒンジ１８は、第２の筐体２との摺接面部に凹部１９を有しており、この凹部１９内には軸固定ヒンジ１８と一体の軸２０を介して係合子２１が摺動自在に嵌合してある。この係合子２１は前記凹部１９の内周面にスプライン係合されて第２の筐体２との係合方向にスプリング２２で付勢されている。ここで、前記係合子２１の前面偏心位置に尖鋭状の係合爪２１ａが一体突設され、第２の筐体２側には、当該筐体２の所定の開閉角度位置で前記係合爪２１ａを係脱可能に係合させる複数の係合穴２３が設けられている。その係合穴２３は、前記係合爪１２ａの導入端側がテーパ状に形成されている。なお、図７では、第２の筐体２とヒンジリンク１７との連結部の断面構造を示して説明したが、第１の筐体１とヒンジリンク１７との連結部も同様の構造となっているものである。
【００２０】
次に動作について説明する。なお、図８は動作説明図である。
第１の筐体１の操作キー３実装面と第２のメイン表示部５とが向かい合う第１の折畳位置に前記両筐体１，２を折り畳んだ図８（Ａ）の状態では、図７（Ａ）に示すように、ヒンジ機構１６の係合子２１の係合爪２１ａがスプリング２２の付勢力で第２の筐体２側の係合穴２３に進入係合して第２の筐体２とヒンジリンク１７とが位置決め固定され、これと同様にして、第１の筐体１と前記ヒンジリンク１７とが位置決め固定された状態にある。この状態から第２の筐体２の開き操作を行うと、係合穴２３に嵌入していた係合爪２１ａが前記係合穴２３のテーパ面に沿って当該係合穴２３内から押し出される。そして、前記第２の筐体２が所定の開き角度（例えば、図８（Ｂ）に示す傾斜角度）まで開かれることにより、前記係合爪２１ａと別の係合穴２３とが対向すると、その時点でスプリング２２の付勢力により係合子２１が前進して係合爪２１ａが係合穴２３に嵌入係合し、第２の筐体２とヒンジリンク１７とが位置決め固定され、これと同様にして第１の筐体１とヒンジリンク１７とが位置決め固定される。したがって、前記第２の筐体２は図８（Ｂ）に示すような所定の開き角度で保持固定される。さらに、図８（Ｂ）の状態から第１の筐体における操作キー３実装面の反対面と第２の筐体２のサブ表示部６とが向かい合う第２の折畳位置に前記両筐体１，２を折り畳むと、前記第１の折畳位置の場合と同様にヒンジリンク１７両端側の係合爪２１ａがスプリング２２の付勢力で係合穴２３内に進入係合して前記両筐体１，２が第２の折畳位置で位置決め固定される。
【００２１】
以上説明した実施の形態２によれば、第１，第２の筐体１，２を折畳・展開方向へ回動可能に連結しているヒンジ機構１６が前記両筐体１，２を所定の開閉角度で位置決め固定する保持機能を有するように構成したので、第１の筐体１の操作キー３実装面とその反対面のいずれかに第２の筐体２を選択的に折り畳むことができる構成とした折畳式携帯機器を所定の開閉角度に保持でき、使い勝手がよくなるという効果がある。
【００２２】
実施の形態３．
図９はこの発明の実施の形態３による折畳式携帯機器の動作説明を兼ねた要部構成説明図、図１０は図５（Ａ）のＸ線矢視図であり、図１図８と同一部分には同一符号を付して重複説明を省略する。
この実施の形態３では、前記実施の形態２のヒンジ機構１６におけるヒンジリンク１７の肉壁内部に制御線挿通孔１７ａを設け、この制御線挿通孔１７ａに制御線１５を挿通し、前記制御線挿通孔１７ａの両端開口部から前記制御線１５を引き出して第１の筐体１と第２の筐体２の制御系統にそれぞれ接続する構成としたものである。
【００２３】
以上説明した実施の形態３によれば、ヒンジリンク１７の肉壁内部の制御線挿通孔１７ａに制御線１５が挿通されて第１，第２の筐体１，２の制御系統に引き回されているので、前記制御線１５が露出するようなことがなく、当該制御線１５を外部から保護できると共に折畳式携帯機器の意匠的美観が得られるという効果がある。
【００２４】
実施の形態４．
前記各実施の形態では、液晶側筐体となる第２の筐体２にカメラ８を組み付け、本体側（操作キー３実装側）筐体となる第１の筐体１側に前記カメラ８の窓穴９を設けた折畳式携帯機器について説明したが、前記カメラ８は第１の筐体１側に組み付け、第２の筐体２側に前記窓穴９を設けてもよい。この場合、前記両筐体１，２をメイン表示部５が表出するように折り畳んだ状態では、カメラ８の撮影方向がメイン表示部５の表示方向と同一方向となるので、使用者自らを撮影する際に、前記両筐体１，２を折り畳んだままの状態で大画面のメイン表示部５の映し出された画像を確認しながら撮影できるという効果がある。また、前記両筐体１，２を開いてメイン表示部５を使用者側に向ければ、そのメイン表示部５に映し出された使用者以外の被写体を確認しながらその被写体を撮影できるという効果がある。
【図面の簡単な説明】
【００２５】
【図１】図１（Ａ）はこの発明の実施の形態１による折畳式携帯機器の折畳状態を示す概略的な外観斜視図、図１（Ｂ）は図１（Ａ）を反対側から見た斜視図である。
【図２】図２（Ａ）は図１（Ａ）の展開状態を示す概略的な斜視図、図２（Ｂ）は図２（Ａ）を反対側から見た斜視図である。
【図３】図３は図１の折畳式携帯機器の具体的な要部構造を示す展開斜視図である。
【図４】図４（Ａ）は図３の折畳式携帯機器を反対側に折り畳んだ状態を示す側面図、図４（Ｂ）は図４（Ｂ）の斜視図である。
【図５】図５（Ａ）はこの発明の実施の形態２による折畳式携帯機器の折畳状態を示す斜視図、図５（Ｂ）は図５（Ａ）の折畳式携帯機器を反対側から見た斜視図、図５（Ｃ）は図５（Ａ）の折畳式携帯機器を反対側に折り畳んだ状態を示す斜視図である。
【図６】図６（Ａ）は図５（Ａ）の展開状態を示す斜視図、図６（Ｂ）は図６（Ａ）を反対側から見た斜視図である。
【図７】図７（Ａ）は図５および図６中のヒンジ機構の要部を示す拡大断面図、図７（Ｂ）は図７（Ａ）中の摺動子を矢印Ｙ方向から見た図である。
【図８】この発明の実施の形態２による折畳式携帯機器の動作説明図である。
【図９】図９はこの発明の実施の形態３による折畳式携帯機器の動作説明を兼ねた要部構成説明図である。
【図１０】図５（Ａ）のＸ線矢視図である。
【符号の説明】
【００２６】
１  第１の筐体、２  第２の筐体、３  操作キー、４  ヒンジ部、５  メイン表示部、６  サブ表示部、７  ヒンジ部、８  カメラ、９  窓穴、１０  シャッターキー、１１  ヒンジ機構、１２  第１のヒンジリンク、１３  第２のヒンジリンク、１４  第３のヒンジリンク、１５  制御線、１６  リンク機構、１７  ヒンジリンク、１７ａ  制御線挿通孔、１８  軸固定ヒンジ、１９  凹部、２０  軸、２１  係合子、２１ａ  係合爪、２２  スプリング、２３  係合穴。
【図１】
2005341047.tif 000003
【図２】
2005341047.tif 000004
【図３】
2005341047.tif 000005
【図４】
2005341047.tif 000006
【図５】
2005341047.tif 000007
【図６】
2005341047.tif 000008
【図７】
2005341047.tif 000009
【図８】
2005341047.tif 000010
【図９】
2005341047.tif 000011
【図１０】
2005341047.tif 000012